(57)【要約】【課題】余計な部品を使用せず、ワイヤーハーネスの配索が簡単にでき、組み付け作業性の向上と解体性の向上を図ることのできる電気接続箱を提供する。【解決手段】箱本体１０と、ワイヤーハーネス配索後に装着されるカバー５０と、からなる。箱本体の側部の外面に、箱本体の側部から引き出されて上部から下方へ向けて導出されるワイヤーハーネスＷを嵌めるための断面Ｕ字状の配索溝２０Ａ、２０Ｂが形成され、その配索溝の左右側壁２１、２２の先端に、ワイヤーハーネスの抜けを規制する仮係止部２３が設けられ、カバーに、配索溝の左右側壁２１の外側および隣接する側壁２２間に挿入されることで、側壁２１、２２の外側への撓みを規制する規制壁（側壁７１、リブ７２）が設けられ、規制壁に仮係止部２３の開きを防止する開き防止部７３が設けられている。【選択図】図１１
2008160923.tif 000002
【特許請求の範囲】
【請求項１】
電気部品等が収容される箱本体と、該箱本体の側部の外面にワイヤーハーネス配索後に装着されるカバーと、からなり、前記箱本体の側部の外面に、該箱本体の側部から引き出されて上部から下方へ向けて導出されるワイヤーハーネスを嵌めるための前面開放の断面Ｕ字状の配索溝が形成され、その配索溝を形成するために前記箱本体の側部の外面に突設された配索溝の左右側壁の先端に、互いに内側に突出することで前記配索溝内に収容されたワイヤーハーネスの抜けを規制する仮係止部が設けられ、一方、前記カバーには、該カバーが前記箱本体に装着されたとき、前記配索溝の左右側壁の外側に挿入されることで、該左右側壁の外側への撓みを規制する規制壁が設けられていることを特徴とする電気接続箱。
【請求項２】
請求項１に記載の電気接続箱であって、
前記仮係止部が、前記配索溝の左右側壁の先端縁を内側へ傾斜させた先端傾斜部として構成され、前記カバーの規制壁が、前記先端傾斜部の外側に当接することで、該先端傾斜部の外側への開きを防止する開き防止部を有することを特徴とする電気接続箱。
【請求項３】
請求項１または２に記載の電気接続箱であって、
前記カバーが、前記箱本体の側部の外面に上方からスライドさせて装着されるスライド式のものであり、前記箱本体とカバーには、そのスライド動作を案内するためのスライドガイドが設けられていることを特徴とする電気接続箱。
【請求項４】
請求項１〜３のいずれか１項に記載の電気接続箱であって、
前記箱本体の外面に前記配索溝が平行に並べて複数設けられており、前記全配索溝の左右側壁のうち最左端の側壁と最右端の側壁の撓みを規制する前記カバーの規制壁が、当該カバーの左右側壁によって構成され、それ以外の規制壁が、隣接する配索溝の２枚の側壁間に挿入されるように前記カバーの内面に突設されたリブによって構成されていることを特徴とする電気接続箱。
【請求項５】
請求項１〜４のいずれか１項に記載の電気接続箱であって、
前記仮係止部が、前記配索溝の左右側壁の中段の高さ範囲にのみ設けられていることを特徴とする電気接続箱。
【請求項６】
請求項５に記載の電気接続箱であって、
前記配索溝の左右側壁の上端角部が斜めにまたは湾曲状にカットされており、前記カバーには、そのカット形状に応じた傾斜部または湾曲部が設けられていることを特徴とする電気接続箱。
【発明の詳細な説明】
【技術分野】
【０００１】
本発明は、本発明は、自動車に搭載される電気接続箱に関する。
【背景技術】
【０００２】
従来、車載レイアウトの関係等により、図１３に示すように、障害物１２０を避けて、電気接続箱１００の上部から下方へ向けてワイヤーハーネスＷを引き出す必要のある場合があった。
【０００３】
その場合、図１３に示すように、電気接続箱１００の上部から水平または斜め下方にワイヤーハーネスＷを引き出し、クリップ１０２またはプロテクタ１０４等を用いて、配索経路を規制しながらワイヤーハーネスＷを配索し、障害物１２０の下側にワイヤーハーネスＷを誘導している。
【０００４】
しかし、この方法では、クリップ１０２やプロテクタ１０４等の経路規制部品が電気接続箱１００とは別に必要であり、また、クリップ１０２やプロテクタ１０４等を用いて個別にワイヤーハーネスＷを車体へ取り付ける作業が必要であり、部品コストや作業コストが高くつく問題があった。
【０００５】
そこで、それらの欠点を回避するものとして、図１４に示すように、電気接続箱１００の側部にカバー１１０を装着し、カバー１１０により強制的にワイヤーハーネスＷの引き出し経路を規制するものがある。これによれば、クリップやプロテクタ等の経路規制部品を新たに用意しなくてよく、また、それらを用いて個別にワイヤーハーネスＷを車体に取り付ける必要がないので、部品コストや作業コストを低く抑えられる。
【０００６】
その具体的な従来例として、特許文献１に記載のものが提供されている。
【０００７】
図１５に示すものは、特許文献１に記載の電気接続箱の例である。この電気接続箱２００では、箱本体２０１の外側面に上下方向に延びるワイヤーハーネス配索溝２０２を形成し、その配索溝２０２にワイヤーハーネスＷを通した上で、カバー２１０を箱本体２０１のスライド係合部２０３に係合させて、それにより、ワイヤーハーネスＷを上から下に向けて引き出している。
【０００８】
また、図１６、図１７に示すものも、特許文献１に記載の電気接続箱の例である。この電気接続箱３００では、箱本体３０１の側部開口３０２を覆うように、防水カバー３１０の上部板３１１を箱本体３０１の外面のスライド係合部３０３に装着し、防水カバー３１０の筒状ガイド部３１４の中にワイヤーハーネスＷを通すことにより、ワイヤーハーネスＷを上から下へ向けて誘導している。
【特許文献１】特開平９−２４７８２３号公報
【発明の開示】
【発明が解決しようとする課題】
【０００９】
しかし、図１５に示す構造の場合、多数の被覆電線を束ねて構成したワイヤーハーネスＷを配索溝２０２に嵌め込んだ際に、ワイヤーハーネスＷの撥ね戻りにより、配索溝２０２からワイヤーハーネスＷが飛び出してしまい、カバー２１０の装着に手間を取りやすいという問題がある。
【００１０】
また、図１６、図１７に示す構造の場合、ワイヤーハーネスＷを防水カバー３１０の筒状ガイド部３１４の中を通して配索しなくてはならず、配索に手間がかかる上、解体も面倒であるという問題がある。
【００１１】
本発明は、上記事情を考慮し、余計な部品を使用せずに、ワイヤーハーネスの配索が簡単にでき、組み付け作業性の向上と解体性の向上を図ることのできる電気接続箱を提供することを目的とする。
【課題を解決するための手段】
【００１２】
請求項１の発明は、電気部品等が収容される箱本体と、該箱本体の側部の外面にワイヤーハーネス配索後に装着されるカバーと、からなり、前記箱本体の側部の外面に、該箱本体の側部から引き出されて上部から下方へ向けて導出されるワイヤーハーネスを嵌めるための前面開放の断面Ｕ字状の配索溝が形成され、その配索溝を形成するために前記箱本体の側部の外面に突設された配索溝の左右側壁の先端に、互いに内側に突出することで前記配索溝内に収容されたワイヤーハーネスの抜けを規制する仮係止部が設けられ、一方、前記カバーには、該カバーが前記箱本体に装着されたとき、前記配索溝の左右側壁の外側に挿入されることで、該左右側壁の外側への撓みを規制する規制壁が設けられていることを特徴とする。
【００１３】
請求項２の発明は、請求項１に記載の電気接続箱であって、前記仮係止部が、前記配索溝の左右側壁の先端縁を内側へ傾斜させた先端傾斜部として構成され、前記カバーの規制壁が、前記先端傾斜部の外側に当接することで、該先端傾斜部の外側への開きを防止する開き防止部を有することを特徴とする。
【００１４】
請求項３の発明は、請求項１または２に記載の電気接続箱であって、前記カバーが、前記箱本体の側部の外面に上方からスライドさせて装着されるスライド式のものであり、前記箱本体とカバーには、そのスライド動作を案内するためのスライドガイドが設けられていることを特徴とする。
【００１５】
請求項４の発明は、請求項１〜３のいずれか１項に記載の電気接続箱であって、前記箱本体の外面に前記配索溝が平行に並べて複数設けられており、前記全配索溝の左右側壁のうち最左端の側壁と最右端の側壁の撓みを規制する前記カバーの規制壁が、当該カバーの左右側壁によって構成され、それ以外の規制壁が、隣接する配索溝の２枚の側壁間に挿入されるように前記カバーの内面に突設されたリブによって構成されていることを特徴とする。
【００１６】
請求項５の発明は、請求項１〜４のいずれか１項に記載の電気接続箱であって、前記仮係止部が、前記配索溝の左右側壁の中段の高さ範囲にのみ設けられていることを特徴とする。
【００１７】
請求項６の発明は、請求項５に記載の電気接続箱であって、前記配索溝の左右側壁の上端角部が斜めにまたは湾曲状にカットされており、前記カバーには、そのカット形状に応じた傾斜部または湾曲部が設けられていることを特徴とする。
【発明の効果】
【００１８】
請求項１の発明によれば、配索溝にワイヤーハーネスを嵌めてカバーを装着することにより、クリップやプロテクタ等の余計な部品を使用せずに、ワイヤーハーネスの配索経路を強制的に決めることができ、組付手間を減らすことができる。
【００１９】
また、配索溝にワイヤーハーネスを嵌めた段階で、仮係止部による仮係止が行われるので、ワイヤーハーネスの撥ね戻り等の心配をすることなく、カバーを簡単に箱本体の定位置に装着することができ、作業手間と作業時間の軽減を図ることができる。
【００２０】
また、装着したカバーの規制壁によって、配索溝の左右側壁の撓みを規制するので、ワイヤーハーネスに外力が加わった場合にも、ワイヤーハーネスを強固に確実に保持しておくことができる。つまり、仮係止部による係止と、規制壁の撓み規制による係止との二重係止の実現により、ワイヤーハーネス保持力のアップが可能となる。
【００２１】
また、カバーを装着することによって、ワイヤーハーネスを保護することができ、防水性を高めることができる。
【００２２】
また、解体時は、カバーを取り外して、ワイヤーハーネスを手前に引き出せば、配索溝から簡単に外すことができるので、解体性に優れており、資源再利用の面で貢献することができる。
【００２３】
請求項２の発明によれば、カバーの開き防止部により、配索溝の左右側壁の先端の開きを押さえるので、より強固にワイヤーハーネスを保持することができる。
【００２４】
請求項３の発明によれば、カバーを上方からスライドさせて装着するスライド式のものとして、カバーと箱本体にスライドガイドを設けており、スライドガイドの案内によって、配索溝へのワイヤーハーネスの嵌め込み方向と交差する方向にカバーをスライドさせるようにしているので、ワイヤーハーネスの撥ね戻り力によって、カバーが外れるおそれを無くすことができる。
【００２５】
また、スライドガイドの案内に従って上からカバーをスライドさせるだけで、箱本体の側部の定位置にカバーを装着できるので、カバーの取り付けが簡単且つスムーズにできる。
【００２６】
請求項４の発明によれば、複数のワイヤーハーネスを上記と同様に配索することができる。
【００２７】
請求項５の発明によれば、仮係止部を中段の高さ範囲にのみ設けたので、配索溝の上段と下段ではワイヤーハーネスへの規制を緩やかにすることができる。従って、上部からワイヤーハーネスを配索溝の中に嵌め入れるとき、入れ始めの段階は仮係止部が邪魔にならないので、スムーズに入れることができ、ある程度入った段階で初めて仮係止が効き出す。また、解体時に下部からワイヤーハーネスを抜き出すときも、抜き始めの段階は仮係止部が邪魔にならないので、スムーズに抜き出すことができ、ある程度抜いた段階で仮係止に抗して抜けばよくなる。
【００２８】
請求項６の発明によれば、配索溝の左右側壁の上端角部が斜めにまたは湾曲状にカットされているので、上端角部に引っ掛けることなく、ワイヤーハーネスを配索溝に容易に入れることができる。また、カバーも対応した形状に形成されているので、ワイヤーハーネスを適切に押え込むことができる。
【発明を実施するための最良の形態】
【００２９】
本発明の実施形態を図面を参照しながら説明する。
【００３０】
図１は実施形態の電気接続箱の箱本体とカバーを組み合わせた状態を示す要部の斜視図、図２は箱本体の要部の斜視図、図３は箱本体の要部の正面図、図４は箱本体の要部の平面図、図５はカバーの外面の斜視図、図６はカバーの内面を斜め下側から見た斜視図、図７はカバーの底面図、図８は箱本体とカバーを組み合わせた際のカバーの上側位置での水平断面図、図９は箱本体の配索溝にワイヤーハーネスを嵌め込む際の作用説明用の水平断面図で、（ａ）は嵌め込む前、（ｂ）は嵌め込む途中、（ｃ）は嵌め込んだ後の状態を示す図、図１０は箱本体の配索溝にワイヤーハーネスを嵌め込んでいる途中の状態を示す斜め下側から見た斜視図、図１１は箱本体の配索溝にワイヤーハーネスを嵌め込みカバーを装着した状態の水平断面図、図１２は図１１と同じ状態の側面図である。
【００３１】
この電気接続箱は、電気部品等が収容される合成樹脂製の箱本体１０と、箱本体１０の一側部の外面にワイヤーハーネス配索後に装着される合成樹脂製のカバー５０と、からなる。
【００３２】
カバー５０は、箱本体１０の側部の外面に上方からスライドさせて装着されるスライド式の防水カバーであり、箱本体１０の側部開口１１の左右縁部とカバー５０の前端左右には、そのスライド動作を案内するためのスライドガイド１２、５２が設けられている。
【００３３】
このスライドガイド１２、５２は、上からカバー５０を組み付けることにより、上下方向にはカバー５０の自由なスライドを許すものの、他の方向へのカバー５０の移動を規制する機能を果たす。スライドガイド１２、５２には、カバー５０を定位置までスライドさせた際に、カバー５０の下側への移動を規制するストッパ（特に符号を付さず）が付いている。
【００３４】
箱本体１０の側部開口１１の下側の外面には、箱本体１０の側部開口１１から引き出されて上部から下方へ向けて導出されるワイヤーハーネスＷを嵌めるための前面開放の断面Ｕ字状の配索溝２０Ａ、２０Ｂが形成されている。この場合、嵌め込むワイヤーハーネスＷの太さに対応するよう断面積を異ならせた２本の配索溝２０Ａ、２０Ｂが互いに隣接して平行に設けられている。
【００３５】
また、その配索溝２０Ａ、２０Ｂを形成するために箱本体１０の側部の外面に突設された配索溝２０Ａ、２０Ｂの左右側壁２１、２２の先端（突出端）には、互いに内側に突出することで、配索溝２０Ａ、２０Ｂ内に収容されたワイヤーハーネスＷの抜けを規制する仮係止部２３が設けられている。ここでは、仮係止部２３は、配索溝２０Ａ、２０Ｂの左右側壁２１、２２の先端縁を内側へ傾斜させた先端傾斜部として形成されており、配索溝２０Ａ、２０Ｂの左右側壁２１、２２の中段の高さ範囲にのみ設けられている。
【００３６】
また、カバー５０は、上部に箱本体１０の側部開口１１を塞ぐ幅の封止壁５１を有し、それに続く下半部の水平断面が略コ字状に形成されたもので、水平断面が略コ字状に形成された部分は、封止壁５１と略同等の幅の前壁７０と、その左右両側に連続した側壁７１とから構成されている。前壁７０は、ワイヤーハーネスＷの断面の曲率に応じた２本の半筒壁を横に並べた形状をなしている。前壁７０の上部は、傾斜壁７４により封止壁５１の下端に連続し、傾斜壁７４と封止壁５１の外面には、縦方向に沿って平行な複数のリブ７８が設けられている。
【００３７】
このカバー５０には、該カバー５０を箱本体１０に装着したときに、配索溝２０Ａ、２０Ｂの左右側壁２１、２２の外側に挿入されて、それにより左右側壁２１、２２の外側への撓みを規制する規制壁７１、７２が設けられている。この場合、２本の配索溝２０Ａ、２０Ｂの左右側壁２１、２２のうち最左端と最右端の側壁２１の撓みを規制するカバー５０の規制壁７１が、カバー５０の左右側壁７１によって構成され、それ以外の規制壁７２が、隣接する配索溝２０Ａ、２０Ｂの２枚の側壁２２の間の撓み空間２５に挿入されるようにカバー５０の内面に突設されたリブ７２によって構成されている。
【００３８】
また、カバー５０の規制壁７１、７２の基部には、仮係止部２３の外側に当接することで、仮係止部２３の外側への開きを防止する開き防止部５３が設けられている。
【００３９】
また、配索溝２０Ａ、２０Ｂの左右側壁２１、２２の上端角部２１ａ、２２ａは、斜めにまたは湾曲状にカットされており、カバー５０の傾斜壁７４が、そのカット形状に対応している。
【００４０】
また、配索溝２０Ａ、２０Ｂの最外側の側壁２１の外面と、カバー５０の側壁７１の内面との間には、前述したスライドガイド１２、５２を補強するための第２のスライドガイド１４、５４が設けられている。この第２のスライドガイド１４、５４は、カバー５０から見た場合、前述した奥に位置するスライドガイド１２、５２よりも手前側に位置している。
【００４１】
また、配索溝２０Ａ、２０Ｂの最外側の側壁２１の外面と、カバー５０の側壁７１との間には、カバー５０を定位置にロックするためのロック機構３０、８０が設けられている。
【００４２】
次に作用を説明する。
【００４３】
この電気接続箱を組み立てる場合は、まず、図９（ａ）、（ｂ）に示すように、ワイヤーハーネスＷをそれぞれの配索溝２０Ａ、２０Ｂに嵌め込む。その際、仮係止部２３の先端間の間隔は、ワイヤーハーネスＷの径より小さく設定されているので、ワイヤーハーネスＷを嵌め込むとき、配索溝２０Ａ、２０Ｂの側壁２１、２２を外側へ撓ませながら挿入する。ワイヤーハーネスＷを配索溝２０Ａ、２０Ｂに挿入すると、図９（ｃ）のように側壁２１、２２は元の位置に復帰する。この状態で、仮係止部２３による仮係止が行われるので、ワイヤーハーネスＷは撥ね戻り等で配索溝２０Ａ、２０Ｂから外へ飛び出さなくなる。
【００４４】
次にカバー５０を上から装着する。その際、カバー５０側のスライドガイド５２、５４を箱本体１０側のスライドガイド１２、１４に係合させながら、下方へスライドさせ、ロック機構３０、８０を互いにロックさせる。このようにスライドガイド１２、５２、１４、５４の案内作用によって、上からカバー５０をスライドさせるだけで、箱本体１０の側部の定位置にカバー５０を装着できるので、カバー５０の取り付けが簡単且つスムーズにできる。
【００４５】
カバー５０を定位置に装着すると、カバー５０の規制壁（側壁７１及びリブ７２）が、配索溝２０Ａ、２０Ｂの側壁２１の外側及び隣接する側壁２２間の撓み空間２５に挿入され、また、開き防止部７３が仮係止部２３の外側に当接する。これにより、規制壁（側壁７１及びリブ７２）によって側壁２１、２２の外側への撓みが規制され、開き防止部７３によって仮係止部２３の開きが防止される。
【００４６】
従って、ワイヤーハーネスＷに対する保持を強固で確実なものにすることができる。つまり、仮係止部２３による係止と、規制壁（側壁７１及びリブ７２）の撓み規制による係止との二重係止の実現により、ワイヤーハーネスＷの保持力のアップが図れる。
【００４７】
また、スライドガイド１２、５２、１４、５４の案内によって、配索溝２０Ａ、２０ＢへのワイヤーハーネスＷの嵌め込み方向と交差する方向にカバー５０をスライドさせるようにしているので、ワイヤーハーネスＷの撥ね戻り力によって、カバー５０が外れるおそれを無くすことができる。
【００４８】
また、配索溝２０Ａ、２０ＢにワイヤーハーネスＷを嵌めてカバー５０を装着することにより、クリップやプロテクタ等の余計な部品を使用せずに、ワイヤーハーネスＷの配索経路を強制的に決めることができるので、組付手間を減らすことができ、コストダウンが図れる。
【００４９】
また、配索溝２０Ａ、２０ＢにワイヤーハーネスＷを嵌めた段階で、仮係止部２３による仮係止が行われるので、ワイヤーハーネスＷの撥ね戻り等の心配をすることなく、カバー５０を簡単に箱本体１０の定位置に装着することができ、作業手間と作業時間の軽減を図ることができる。
【００５０】
また、カバー５０を装着することによって、ワイヤーハーネスＷを保護することができるので、防水性を高めることができる。
【００５１】
また、解体時は、カバー５０を取り外して、ワイヤーハーネスＷを手前に引き出せば、配索溝２０Ａ、２０Ｂから簡単に外すことができるので、解体性に優れており、資源再利用の面で貢献することができる。
【００５２】
また、本実施形態では、仮係止部２３を配索溝２０Ａ、２０Ｂの左右側壁２１、２２の中段の高さ範囲にのみ設けているので、配索溝２０Ａ、２０Ｂの上段と下段ではワイヤーハーネスＷへの規制を緩やかにすることができる。従って、上部からワイヤーハーネスＷを配索溝２０Ａ、２０Ｂの中に嵌め入れるとき、入れ始めの段階は仮係止部２３が邪魔にならずに、スムーズに入れることができ、ある程度入った段階で初めて仮係止が効き出すことになる。また、解体時に下部からワイヤーハーネスＷを抜き出すときも、抜き始めの段階は仮係止部２３が邪魔にならないので、スムーズに抜き出すことができ、ある程度抜いた段階で仮係止に抗して抜けばよくなる。
【００５３】
また、配索溝２０Ａ、２０Ｂの左右側壁２１、２２の上端角部２１ａ、２２ａを斜めにまたは湾曲状にカットしてあるので、それら上端角部２１ａ、２２ａにワイヤーハーネスＷの電線を引っ掛けるような心配もなく、ワイヤーハーネスＷを配索溝２０Ａ、２０Ｂに容易に入れることができる。また、カバー５０も、対応した傾斜壁７４を有する形状に形成してあるので、ワイヤーハーネスＷを適切に押え込むことができる。
【００５４】
なお、上記実施形態では、配索溝２０Ａ、２０Ｂを２本設けた場合を示したが、１本でもよい。また、３本以上の配索溝を設けてもよい。
【図面の簡単な説明】
【００５５】
【図１】本発明の実施形態の電気接続箱の箱本体とカバーを組み合わせた状態を示す要部の斜視図である。
【図２】前記箱本体の要部の斜視図でる。
【図３】前記箱本体の要部の正面図である。
【図４】前記箱本体の要部の平面図である。
【図５】前記カバーの外面の斜視図である。
【図６】前記カバーの内面を斜め下側から見た斜視図である。
【図７】前記カバーの底面図である。
【図８】前記箱本体とカバーを組み合わせた際のカバーの上側位置での水平断面図である。
【図９】前記箱本体の配索溝にワイヤーハーネスを嵌め込む際の作用説明用の水平断面図で、（ａ）は嵌め込む前、（ｂ）は嵌め込む途中、（ｃ）は嵌め込んだ後の状態を示す図である。
【図１０】前記箱本体の配索溝にワイヤーハーネスを嵌め込んでいる途中の状態を示す斜め下側から見た斜視図である。
【図１１】前記箱本体の配索溝にワイヤーハーネスを嵌め込みカバーを装着した状態の水平断面図である。
【図１２】図１１と同じ状態の側面図である。
【図１３】従来のワイヤーハーネス配索例を示す側面図である。
【図１４】従来の別のワイヤーハーネス配索例を示す側面図である。
【図１５】具体的な従来例を示す斜視図である。
【図１６】具体的な別の従来例を示す斜視図である。
【図１７】図１６の電気接続箱にワイヤーハーネスを配索した状態を示す側断面図である。
【符号の説明】
【００５６】
１０  箱本体
１２，１４，５２，５４  スライドガイド
２０Ａ、２０Ｂ  配索溝
２１，２２  配索溝の左右側壁
２３  仮係止部
５０  カバー
７１  規制壁（側壁）
７２  規制壁（リブ）
７３  開き防止部
７４  傾斜壁（傾斜部または湾曲部）
Ｗ  ワイヤーハーネス
【図１】
2008160923.tif 000003
【図２】
2008160923.tif 000004
【図３】
2008160923.tif 000005
【図４】
2008160923.tif 000006
【図５】
2008160923.tif 000007
【図６】
2008160923.tif 000008
【図７】
2008160923.tif 000009
【図８】
2008160923.tif 000010
【図９】
2008160923.tif 000011
【図１０】
2008160923.tif 000012
【図１１】
2008160923.tif 000013
【図１２】
2008160923.tif 000014
【図１３】
2008160923.tif 000015
【図１４】
2008160923.tif 000016
【図１５】
2008160923.tif 000017
【図１６】
2008160923.tif 000018
【図１７】
2008160923.tif 000019